(57)【要約】【課題】着脱操作を行うべき光コネクタの照合が容易かつ確実に行うことができ、作業性に優れる技術を提供する。【解決手段】工具本体２１と、前記工具本体２１に連結された取っ手２５と、前記工具本体２１に対して固定された固定部３０および前記固定部３０に対して可動となるように設けられた可動部３３によって光コネクタを把持する把持部２２とを具備し、前記光コネクタまたは該光コネクタの近辺の所定の位置に取り付けられたデータ記録部１５からデータを読み取るデータ読み取り部２３を、前記工具本体２１または把持部２２の固定部３０に対して取り付けたデータ読み取り機能付き光コネクタ脱工具２０を用いる。把持部２２を操作する操作機構２４を設け、この操作機構２４の操作によって、把持部２２が光コネクタを把持する状態と、把持部２２が光コネクタから離隔する状態とを移動できるようになっていることが好ましい。【選択図】  図１
2004226565.tif 000002
【特許請求の範囲】
【請求項１】
工具本体（２１）と、前記工具本体に連結された取っ手（２５）と、前記工具本体に対して固定された固定部（３０）および前記固定部に対して可動となるように設けられた可動部（３３）によって光コネクタ（１）を把持する把持部（２２）とを具備し、
前記光コネクタまたは該光コネクタの近辺の所定の位置に取り付けられたデータ記録部（１５）からデータを読み取るデータ読み取り部（２３）を、前記工具本体または把持部の固定部に対して取り付けたことを特徴とするデータ読み取り機能付き光コネクタ脱工具（２０、５０）。
【請求項２】
前記工具本体には、前記把持部を操作する操作機構（２４、５２）が設けられており、この操作機構の操作によって、把持部が光コネクタを把持する状態と、把持部が光コネクタから離隔する状態とを移動できるようになっていることを特徴とする請求項１に記載のデータ読み取り機能付き光コネクタ脱工具。
【請求項３】
前記取っ手に対する前記把持部の向きが可変になっていることを特徴とする請求項１または２に記載のデータ読み取り機能付き光コネクタ脱工具（５０）。
【発明の詳細な説明】
【０００１】
【発明の属する技術分野】
本発明は、光コネクタハウジングに光コネクタプラグが挿入されることにより光接続がなされる光コネクタを管理する技術に関する。
【０００２】
【従来の技術】
図８は、従来の光コネクタの一例を示す図である。図８において符号１０１は光コネクタプラグであり、符号１１０は光コネクタハウジング（ここではアダプタを示す）である。図示した光コネクタ１０１および光コネクタハウジング１１０は、ＪＩＳ  Ｃ  ５９７３等に規定されるＳＣ形光コネクタ（ＳＣ：Ｓｉｎｇｌｅ  ｆｉｂｅｒ  Ｃｏｕｐｌｉｎｇ）である。
【０００３】
光コネクタ１０１は、光ファイバ１０４の先端から口出しされた裸光ファイバ（図示せず）を固定して保持するフェルール１０３を、ハウジング１０２内に収容し、ハウジング１０２の後端側に露出した光ファイバ１０４を、ハウジング１０２の後端部に装着されたエラストマ（ゴム等）製のブーツ１０５によって保護した構成となっている。
光コネクタハウジング１１０は、光コネクタ１の前端部を着脱可能に収容する光コネクタ収容穴１１１を有し、この光コネクタ収容穴１１１に光コネクタ１を挿入することにより、光ファイバ１０４を接続できるようになっている。
【０００４】
例えば光成端架や光成端箱などにおいて、多数の光コネクタを用いて光ファイバを切替可能に接続する場合、各光ファイバ１０４を識別して管理する方法として、印刷などにより識別符号を付したデータタグ１０６を光ファイバ１０４に取り付け、光ファイバ１０４の配線を切り換える際には、データタグ１０６の識別符号をコードリーダ等の読み取り装置により読み取り、光ファイバ１０４の識別を行う方法がある。
このような識別に用いるタグとしては、例えば、特許文献１〜５に記載したようなものがある。
【０００５】
【特許文献１】
実開昭６３−１０２１１９号公報
【特許文献２】
特公昭６４−００５７２３号公報
【特許文献３】
特開平０５−１０１７１８号公報
【特許文献４】
特開平１０−３０８１１５号公報
【特許文献５】
特開２００１−１５４５８１号公報
【０００６】
【発明が解決しようとする課題】
しかしながら、このようなデータタグ１０６を用いた配線管理方法では、光ファイバ１０４に取り付けられたデータタグ１０６と光コネクタ１０１との距離がかなり離れているため、データタグ１０６の読み取りにより、配線切替操作を行うべき光ファイバ１０４を識別できたとしても、当該光ファイバ１０４がコネクタ接続されている光コネクタ１０１を容易に発見して照合することができないので、直ちに光コネクタ１０１の着脱操作を行うことができない。データタグ１０６から光コネクタ１０１までの光ファイバ１０４の配線経路をたどって目的の光コネクタ１０１を発見するには時間が掛かる。
光コネクタ１０１を照合したとしても、読み取り装置を脇において、光コネクタ１０１を抜去するための光コネクタ脱工具に持ち替える必要があり、作業性に劣るため、不満があった。
【０００７】
また、光成端架などでは多数の光コネクタハウジング１１０がパネル等に配列されており、各光コネクタハウジング１１０に挿入、接続された光コネクタ１０１の後端から光ファイバ１０４が引き出されているのが一般的な状況であるので、光ファイバ１０４と光コネクタ１０１との対応を見誤ると、配線切替すべき光ファイバ１０４とは無関係の光コネクタ１０１を操作し、誤脱してしまうおそれがあり、改善が求められていた。
【０００８】
従って、本発明の課題は、着脱操作を行うべき光コネクタの照合が容易かつ確実に行うことができ、作業性に優れる技術を提供することである。
【０００９】
【課題を解決するための手段】
前記課題を解決するため、本発明は、工具本体と、前記工具本体に連結された取っ手と、前記工具本体に対して固定された固定部および前記固定部に対して可動となるように設けられた可動部によって光コネクタを把持する把持部とを具備し、前記光コネクタまたは該光コネクタの近辺の所定の位置に取り付けられたデータ記録部からデータを読み取るデータ読み取り部を、前記工具本体または把持部の固定部に対して取り付けたことを特徴とするデータ読み取り機能付き光コネクタ脱工具を提供する。
【００１０】
このようなデータ読み取り機能付き光コネクタ脱工具においては、前記工具本体に前記把持部を操作する操作機構を設け、この操作機構の操作によって、把持部が光コネクタを把持する状態と、把持部が光コネクタから離隔する状態とを移動できるようになっていることが好ましい。
また、前記取っ手に対する前記把持部の向きが可変になっていることが好ましい。
【００１１】
【発明の実施の形態】
以下、実施の形態に基づいて、本発明を詳しく説明する。
図３は、本発明のデータ読み取り機能付き光コネクタ脱工具２０が適用される光コネクタ１および光コネクタ１が挿入接続される光コネクタハウジング１０の一例を示す概略図である。
【００１２】
ここでは、光コネクタ１は、ＪＩＳ  Ｃ  ５９７３等に規定される周知のＳＣ形光コネクタ（ＳＣ：Ｓｉｎｇｌｅ  ｆｉｂｅｒ  Ｃｏｕｐｌｉｎｇ）の光コネクタプラグである。
光コネクタ１は、光ファイバ４の先端から口出しされた裸光ファイバ（図示せず）を固定して保持するフェルール３を、ハウジング２内に収容し、ハウジング２の後端側に露出した光ファイバ４を、ハウジング２の後端部に装着されたエラストマ（ゴム等）製のブーツ５によって保護した構成となっている。
【００１３】
光コネクタハウジング１０は、光コネクタ１の前端部を着脱可能に収容する光コネクタ収容穴１１を有し、この光コネクタ収容穴１１に光コネクタ１を挿入することにより、光ファイバ４を接続できるようになっている。
光コネクタハウジング１０に挿入されている光コネクタ１は、ハウジング２の側方に設けられた一対の係合部２ａ、２ｂを手指や工具などで挟んで後端側に引くことにより、光コネクタハウジング１０から抜去されるようになっている。
ここでは、光コネクタハウジング１０の一側面には、回線情報等のデータが記録されたデータ記録部１５が設けられている。
【００１４】
データ記録部１５としては、特に限定されるものではないが、充分な情報量のデータを小さいスペースに高密度に集積して記録できる記録方式によって形成されるものが好ましい。例えばＪＩＳ  Ｘ  ０５１０やＩＳＯ／ＩＥＣ  １８００４等に規定されたＱＲコード（ＱＲ：Ｑｕｉｃｋ  Ｒｅｓｐｏｎｓｅ）などの二次元コードに代表される識別符号を印刷などの方式にて形成した印字部や、公知のＲＦ−ＩＤ方式（ＲＦ：Ｒａｄｉｏ−ｆｒｅｑｕｅｎｃｙ、ＩＤ：Ｉｄｅｎｔｉｆｉｃａｔｉｏｎ）のＩＣチップなどが例示される。
【００１５】
図１（ａ）（ｂ）、２（ａ）（ｂ）は、本発明のデータ読み取り機能付き光コネクタ脱工具２０（以下、光コネクタ脱工具と略称することがある）の一実施の形態を示す概略図である。光コネクタ脱工具２０は、短銃様の形状をとっており、工具本体２１と、光コネクタ１を把持する把持部２２と、工具本体２１から下方（図１（ｂ）の下向き）に垂設された取っ手２５とを具備するものである。把持部２２は、詳しくは後述するが、工具本体２１に組み込まれた操作機構２４により操作可能である。さらにこの光コネクタ脱工具２０には、詳しくは後述するが、光コネクタ１または光コネクタ１の近辺の所定の位置に取り付けられたデータ記録部１５のデータ記録を読み取るデータ読み取り部２３が設けられている。
【００１６】
把持部２２は、工具本体２１から工具の先端方向（図１（ａ）（ｂ）の右方）に突出した細長形状に設けられ、光コネクタ１の後端部を収容する隙間３２を介して把持部２２の工具本体２１からの突出方向に分岐して形成された固定部３０と、固定部３０に沿って工具本体２１から工具先端方向に突設された突出部３１に対して、該突出部３１の外面に設けられた軸受け３１ａにより、軸３３ａを介して軸支された梃子状の可動部３３とを備えている。固定部３０および突出部３１は、工具本体２１と一体に固定されて形成されており、梃子３３は、固定部３０および突出部３１に対して、可動となるように設けられている。
この光コネクタ脱工具２０は、光コネクタ１の後端部から露出された光ファイバ４が隙間３２から下方に垂れ下がる余地を残すように構成されているので、光コネクタ脱工具２０が光ファイバ４に引っ掛かるなどして干渉し、該光ファイバ４を曲げたり損傷させてすることが抑制されている。
【００１７】
図２（ｂ）等に示すように、固定部３０の先端付近には、突出部３１に対向して突出する突起状の係止部３０ａが形成されている。梃子３３は、軸３３ａを中心にして両方向に回動可能である。梃子３３の先端には、固定部３０に対向する向きに突出した鉤状の係止部３３ｂが形成されており、この係止部３３ｂは、梃子３３の回動により、前記係止部３０ａに近づく方向および遠ざかる方向に移動できるようになっている。
【００１８】
突出部３１の先端付近には、前記係止部３３ｂ先端が挿通可能な透孔３１ｂが設けられている。梃子３３は、突出部３１との間に取り付けられた圧縮ばね３４により、前記係止部３３ｂが固定部３０側の係止部３０ａから遠ざかる方向に付勢されている。
把持部２２は、固定部３０を光コネクタ１の後端側から近づけることにより、把持部２２を位置決めしながら光コネクタ１に近づけることができるようになっている。また、把持部２２先端の両係止部３０ａ、３３ｂの間隔を狭くすることにより光コネクタ１を把持することができるようになっている。
梃子３３の回動を操作するため、工具本体２１には操作機構２４が設けられている。
【００１９】
図４（ｂ）、５（ｂ）に示すように、操作機構２４は、工具本体２１内に形成された摺動穴４２に収容された作動軸４１と、作動軸４１の一端に設けられたボタン状の引き金４０と、摺動穴４２の底面に対して反力を取り、作動軸４１に形成されたフランジ４１ａを工具先端方向（図４の右側）に付勢する圧縮ばね４３と、作動軸４１の側方に延出された作動杆４４とを備えている。引き金４０と作動軸４１とフランジ４１ａと作動杆４４とは、一体に形成されもしくは互いに連結されて駆動体４５を構成している。
梃子３３の工具先端と反対側の他端は、梃子３３の長手方向に対する係止部３３ｂの突出方向と同じ方向（図５、６の上方）に屈曲された屈曲部３５となっており、屈曲部３５の斜面３５ａには、作動杆４４の側面が当接している。
【００２０】
図４（ａ）、（ｂ）に示すように、引き金４０に外力が負荷されない状態では、圧縮ばね３４により駆動体４５が付勢され、作動杆４４が工具の先端方向に移動した状態となっている。これにより梃子３３は、圧縮ばね３４の付勢力により、係止部３３ｂが係止部３０ａから離間する方向に傾き、係止部３３ｂの先端が透孔３１ｂよりも後退する。この結果、突出部３１により、係止部３３ｂがコネクタ１の係合部２ｂから離隔された状態が維持され、この状態では、光コネクタ１が把持部２２に把持されることがない。
【００２１】
図５（ａ）、（ｂ）に示すように、引き金４０を圧縮ばね３４の弾性力に抗して手指などで押し込むと、駆動体４５が摺動穴４２内を摺動して、作動杆４４が工具の後端方向に移動し、梃子３３の屈曲部３５の斜面３５ａを押圧する。これにより、梃子３３が圧縮ばね３４の弾性力に抗する方向に傾き、梃子３３側の係止部３３ｂが固定部３０側の係止部３０ａに近づく。これにより両係止部３０ａ、３３ｂが光コネクタ１の両係合部２ａ、２ｂと係合し、光コネクタ１の後端部が両係止部３０ａ、３３ｂの間に把持される。
この状態で光コネクタ脱工具２０を後方に引くことにより、光コネクタ１を光コネクタハウジング１０から抜去することができる。抜去後、引き金４０への押圧力を解除することにより、光コネクタ１を光コネクタ脱工具２０の把持部２２から離隔させることができる。
【００２２】
データ読み取り部２３は、ここでは、把持部２２の固定部３０に取り付けられており、具体的な構成としては、データ記録部１５の記録方式に応じた周知の適当な読み取り手段を採用することができる。例えば、データ記録部１５が二次元コードによりデータを記録するものであれば、画像伝達を行うイメージファイバ２３ａと、イメージファイバ２３ａの先端に取り付けられ、画像から受光した光信号をイメージファイバ２３ａに入力するためのヘッド部２３ｂとによることができる。この場合、ヘッド部２３ｂは、把持部２２を光コネクタ１に近接させ、光コネクタ１を把持できるような状態に光コネクタ脱工具２０の先端の位置を合わせたときに、データ記録部１５のデータを読み取れるように、データ記録部１５に対向する位置に配置されるようになっている。
【００２３】
本発明の光コネクタ脱工具２０の好適な使用方法の一例について説明する。
図４（ａ）に示すように、光コネクタ１の後端部が固定部３０と突出部３１との間の隙間３２に配置されるように光コネクタ脱工具２０の先端を位置合わせする。これにより、データ読み取り部２３の先端のヘッド部２３ｂが光コネクタハウジング１０の側方に配置されたデータ記録部１５に対向して配置され、データ記録部１５のデータが読み取られる。データ読み取り部２３が工具本体２１に対して固定された固定部３０に取り付けられているので、読み取り中にヘッド部２３ｂがブレたりすることがなく、データを正確に読み取ることができる。
【００２４】
読み取ったデータに基づいて光ファイバ４の識別を行い、これにより従来と同様にして光コネクタ１の抜去の適否が判別される。
ここで、操作機構２４の引き金４０を操作することにより、光コネクタ１が把持部２２に把持される。この状態で光コネクタ脱工具２０を後方に引くことにより、光コネクタ１を光コネクタハウジング１０から抜去することができる。抜去後引き金４０への押圧力を解除して、把持部２２から光コネクタ１を取り外す。
【００２５】
以上のように、本実施の形態の光コネクタ脱工具２０によれば、光コネクタ脱工具２０の把持部２２が光コネクタ１に近接し、かつ光コネクタ１から離隔したた状態で、光コネクタ１またはその近傍に配置された配線情報等を記録したデータ記録部１５のデータを、データ読み取り部２３により読み取ることができる。
読み取りデータの判別の結果、光コネクタ１を抜去する場合には、操作機構２４の操作だけで把持部２２の係止部３０ａ、３３ｂを光コネクタ１の係合部２ａ、２ｂに係合させて把持させることができる。すなわち、光ファイバとそれをコネクタ成端する光コネクタとの照合をすることなく、直ちに光コネクタ１の抜去操作に移行することができる。従って、識別した光ファイバと無関係な光コネクタを抜去するおそれがなく、識別された光コネクタを確実に抜去することができる。
逆に、抜去すべきでない（誤った）光コネクタ１と判別された場合には、光コネクタ脱工具２０を引っ込めればよい。データ読み取り部２３でデータを読み取る際に、光コネクタ１を把持部２２に把持させる必要がないので、判別結果に反して誤った光コネクタ１を抜去するおそれがない。
【００２６】
次に、本発明の光コネクタ脱工具の第２の実施の形態を、図６および図７を参照しながら説明する。
図６、図７において、図１〜図５で用いたものと同じ符号は、同一または同様の構成であることを示し、重複する説明を省略することがある。
図６では、光コネクタ１の係合部２ａ、２ｂが横方向（水平方向）に並ぶように光コネクタハウジング１０が図示しないプレート等に取り付けられている状態を示している。また、図７では、光コネクタ１の係合部２ａ、２ｂが縦方向（鉛直方向）に並ぶように光コネクタハウジング１０が取り付けられている状態を示す。
【００２７】
この光コネクタ脱工具５０は、上記第１の実施の形態の光コネクタ脱工具２０と同様に、短銃様の形状をとっており、工具本体２１と、取っ手２５と、細長形状に形成され、光コネクタ１を把持する把持部２２と、データ記録部１５に記録されたデータを読み取るデータ読み取り部２３とを備えている。
【００２８】
把持部２２は、工具本体２１に組み込まれた操作機構５２により固定部３０と可動部３３との間隔を操作可能である。ここでは、操作機構５２は、工具本体２１の側面に形成された長穴５４に挿通された摘み５３によって操作可能である。
具体的には、例えば第１実施の形態において上述した梃子３３の屈曲部３５（図４（ｂ）、図５（ｂ）参照）を摘み５３に連結された作動杆４４によって操作するような機構を採用することができる。また、同様な機能を有する公知の機構を適宜用いることができる。
【００２９】
取っ手２５は、工具本体２１からの把持部２２の突出方向（図１（ｂ）の右向き）の軸線に対する側方（図１（ｂ）では工具本体２１の下方）に延出して設けられている。
さらに、工具本体２１と取っ手２５との間が分割され、回転連結部５１により回転可能に連結されている。回転連結部５１は、工具本体２１と取っ手２５とが連結されたまま回転できるものでもよく、また、工具本体２１と取っ手２５とを一旦分離してから把持部２２の向きを変えて再度連結できるように構成されたものであってもよい。本実施の形態においては、把持部２２の向きは、固定部３０および可動部３３の係止部３０ａ、３３ｂの並ぶ向きとして規定する。
回転連結部５１は、作業中に、把持部２２およびデータ読み取り部２３が取っ手２５に対してぐら付かないように、例えばネジや係合などを用いて、その回転を固定して停止できるようになっている。
【００３０】
回転連結部５１の回転中心軸線５１ａは、把持部２２の工具本体２１から突出する長手方向に沿って延びている。そして、工具本体２１に対して取っ手２５を上記回転中心軸線５１ａの回りに回転させることにより、取っ手２５の工具本体２１の延出方向に対する把持部２２の向きを２通り以上に変えられるようになっている。
具体的には、図６、７に示すように、取っ手２５が工具本体２１の下方に位置するように光コネクタ脱工具５０を配置したとき、図６に示すように、可動部３３側の係止部３３ｂが固定部３０側の係止部３０ａの右方に位置し、把持部２２が横向きになった状態と、図７に示すように、可動部３３側の係止部３３ｂが固定部３０側の係止部３０ａの上方に位置し、把持部２２が縦向きになった状態との２つの状態をとれるようになっている。
【００３１】
このような光コネクタ脱工具５０によれば、第１の実施の形態の光コネクタ脱工具２０と同様の作用効果を奏する。
さらに、図６に示すように、光コネクタハウジング１０の取り付け向きが異なっていても、回転連結部５１の回転により、取っ手２５に対する把持部２２の係止部３０ａ、３３ｂの並ぶ向きを、光コネクタ１の係合部２ａ、２ｂの並ぶ向きに合わせて変えることができる。従って、光コネクタ脱工具５０を持ちやすいように取っ手２５の向きを維持したまま、複数通りの光コネクタハウジング１０の取り付け向きに対応して把持部２２を使用することができ、より良好な作業性が確保される。
【００３２】
以上、本発明を好適な実施の形態に基づいて説明してきたが、本発明はこの実施の形態のみに限定されるものではなく本発明の要旨を逸脱しない範囲で種々の改変が可能である。
上記実施の形態においては、ＳＣ形光コネクタを取り扱う光コネクタ脱工具に適用した例を説明したが、これに限定されるものではなく、例えばＦＣ形光コネクタ（Ｆｉｂｅｒ  ｔｒａｎｓｍｉｓｓｉｏｎ  ｓｙｓｔｅｍ  ｏｐｔｉｃａｌ  Ｃｏｎｎｅｃｔｏｒ、ＪＩＳ  Ｃ  ５９７０に規定のもの等）、ＭＴ形光コネクタ（ＭＴ：Ｍｅｃｈａｎｉｃａｌｌｙ  Ｔｒａｎｓｆｅｒａｂｌｅ、ＪＩＳ  Ｃ  ５９８１に規定のもの等）、ＭＰＯ形光コネクタ（ＭＰＯ：Ｍｕｌｔｉｆｉｂｅｒ  Ｐｕｓｈ−Ｏｎ、ＪＩＳ  Ｃ  ５９８２に規定のもの等）、ＭＵ形コネクタ（ＭＵ：Ｍｉｎｉａｔｕｒｅ−Ｕｎｉｔ  ｃｏｕｐｌｉｎｇ、ＪＩＳ  Ｃ５９８３に規定のもの等）、Ｍｉｎｉ−ＭＰＯ形光コネクタ（ＭＰＯ：Ｍｕｌｔｉｆｉｂｅｒ  Ｐｕｓｈ−Ｏｎ、ＪＩＳ  Ｃ  ５９８４に規定のもの等）など、種々の光コネクタを抜去する光コネクタ脱工具に適用することができる。
【００３３】
また、上記説明では、データ記録部１５が、光コネクタハウジング１０の側面に取り付けられた場合を例示したが、特に限定されるものではなく、光コネクタ１などにデータ記録部１５を設けてもよく、データ読み取り部２３は、データ記録部１５のデータを読み取り可能な位置に取り付けられる。
【００３４】
取っ手に対する把持部の向きが可変になっているデータ読み取り機能付き光コネクタ脱工具としては、把持部を引き金を介して操作できるようにすることも可能である。この場合、取っ手に対する引き金の向きが一定となるように、操作機構として、引き金と把持部との間で回転可能な機構が用いられる。
【００３５】
【発明の効果】
以上説明したように、本発明のデータ読み取り機能付き光コネクタ脱工具は、工具本体と、前記工具本体に連結された取っ手と、前記工具本体に対して固定された固定部および前記固定部に対して可動となるように設けられた可動部によって光コネクタを把持する把持部とを具備し、前記光コネクタまたは該光コネクタの近辺の所定の位置に取り付けられたデータ記録部からデータを読み取るデータ読み取り部を、前記工具本体または把持部の固定部に対して取り付けたものであるので、データ読み取り部と、工具本体および把持部の固定部との相対位置関係が作業中に変化せず、データ読み取り部を確実にデータ記録部に向けることができる。従って、データを確実に読み取ることができ、抜去すると識別された光コネクタを直ちに操作することができる。データの読み取りと光コネクタの抜去を一つの工具で行うことができ、工具を持ち替える必要がなく、作業性に優れている。
【００３６】
このようなデータ読み取り機能付き光コネクタ脱工具においては、前記工具本体には、前記把持部を操作する操作機構を設け、この操作機構の操作によって、把持部が光コネクタを把持する状態と、把持部が光コネクタから離隔する状態とを移動できるようになっていることが好ましい。これにより、光コネクタを把持する前にデータの読み取りおよび光コネクタの識別を行い、適切な光コネクタとの確認後に該光コネクタを把持する操作を行うことができる。これにより、工具を誤った光コネクタに差し向けていた場合でも、識別結果に反して誤った光コネクタを抜去するおそれがなく、作業の確実性がより向上する。
【００３７】
さらに、前記取っ手に対する前記把持部の向きが可変になっていれば、工具を手で持ちやすいように、光コネクタハウジングの取り付け向きに合わせて、把持部の向きを変えることができる。
【図面の簡単な説明】
【図１】本発明のデータ読み取り機能付き光コネクタ脱工具の第１の実施の形態を示す（ａ）平面図および（ｂ）正面図である。
【図２】（ａ）図１の光コネクタ脱工具を示す斜視図である。（ｂ）工具の先端部の部分拡大斜視図である。
【図３】図１の光コネクタ脱工具が適用される光コネクタおよび光コネクタハウジングの一例を示す斜視図である。
【図４】図１の光コネクタ脱工具において、（ａ）把持部が光コネクタから離隔している状態を示す斜視図、（ｂ）このときの操作機構の状態を示す部分断面図である。
【図５】図１の光コネクタ脱工具において、（ａ）把持部が光コネクタを把持している状態を示す斜視図、（ｂ）このときの操作機構の状態を示す部分断面図である。
【図６】本発明のデータ読み取り機能付き光コネクタ脱工具の第２の実施の形態を示し、把持部が横向きになっている状態を示す斜視図である。
【図７】本発明のデータ読み取り機能付き光コネクタ脱工具の第２の実施の形態を示し、把持部が縦向きになっている状態を示す斜視図である。
【図８】従来の光コネクタプラグおよび光コネクタハウジングの一例を示す斜視図である。
【符号の説明】
１…光コネクタ（プラグ）、１５…データ記録部、２０…データ読み取り機能付き光コネクタ脱工具（光コネクタ脱工具）、２１…工具本体、２２…把持部、２３…データ読み取り部、２４…操作機構、５０…データ読み取り機能付き光コネクタ脱工具（光コネクタ脱工具）、３０…固定部、３３…可動部（梃子）、５２…操作機構。
【図１】
2004226565.tif 000003
【図２】
2004226565.tif 000004
【図３】
2004226565.tif 000005
【図４】
2004226565.tif 000006
【図５】
2004226565.tif 000007
【図６】
2004226565.tif 000008
【図７】
2004226565.tif 000009
【図８】
2004226565.tif 000010